(57)【要約】  【課題】  ファイル記録時に記録装置を自動的に選択できるようにする。  【解決手段】  情報記録制御装置１０は、端末装置３０Ａ、３０Ｂ、・・・からのファイル記録要求に基づき、管理情報データベース１２に格納されている記録装置の機器情報と、端末装置３０Ａ、３０Ｂ、・・・から受信したファイルの属性情報とに基づき、記録装置１１Ａ、１１Ｂ、１１Ｃ、・・・の中から記録可能な記録装置を探し、記録に用いる記録装置を選択する。情報記録制御装置１０は、選択した記録装置のステータスを他の記録が行われないように変更すると共に、端末装置３０Ａ、３０Ｂ、・・・に、選択した記録装置を特定できる情報を送信する。端末装置３０Ａ、３０Ｂ、・・・は、情報記録制御装置１０から指定の記録装置を記録先として設定し、ファイルの送信を開始する。選択された記録装置は、受信したファイルを装着された記録媒体に記録する。【選択図】  図１
2006184995.tif 000002
【特許請求の範囲】
【請求項１】
ネットワークを介して接続された複数の記録装置の機器情報を取得し、管理情報データベースに格納する状態監視手段と、
ネットワークに接続されたファイルの送信元からファイルの記録要求がなされ、記録要求がなされた該ファイルの属性情報を、該ネットワークを介して取得するファイル属性情報取得手段と、
上記ファイルの属性情報と上記管理情報データベースに格納された上記複数の記録装置の機器情報とに基づき、上記複数の記録装置の中から上記記録要求がなされたファイルを記録するための記録装置を選択する選択手段と
を有することを特徴とする情報記録制御装置。
【請求項２】
請求項１に記載の情報記録制御装置において、
上記ファイルの送信元から送信されたファイルの上記記録要求に応じて、上記記録要求と共に送信された上記ファイルの属性情報と、上記管理情報データベースから取得された上記複数の記録装置の機器情報とに基づき、上記複数の記録装置の中から記録可能な記録装置を選択し、選択された上記記録装置に対して記録を予約し、該記録装置の情報を上記要求元に通知するようにしたことを特徴とする情報記録制御装置。
【請求項３】
請求項１に記載の情報記録制御装置において、
上記状態監視手段は、上記複数の記録装置の機器情報を自動的に取得し、得られた該機器情報に基づき、上記管理情報データベースの内容を更新するようにしたことを特徴とする情報記録制御装置。
【請求項４】
請求項１に記載の情報記録制御装置において、
上記複数の記録装置の機器情報と該記録装置に格納されたファイルの属性情報とは、互いに関連付けられて上記管理情報データベースに管理されるようにしたことを特徴とする情報管理制御装置。
【請求項５】
請求項１に記載の情報記録制御装置において、
上記複数の記録装置の全てが記録不可の時には、拒否応答を返すようにしたことを特徴とする情報管理制御装置。
【請求項６】
ネットワークを介して接続された複数の記録装置の機器情報を取得し、管理情報データベースに格納する状態監視ステップと、
ネットワークに接続されたファイルの送信元からファイルの記録要求がなされ、記録要求がなされた該ファイルの属性情報を、該ネットワークを介して取得するファイル属性情報取得ステップと、
上記ファイルの属性情報と上記管理情報データベースに格納された上記複数の記録装置の機器情報とに基づき、上記複数の記録装置の中から上記記録要求がなされたファイルを記録するための記録装置を選択する選択ステップと
を有することを特徴とするファイル記録制御方法。
【発明の詳細な説明】
【技術分野】
【０００１】
この発明は、ネットワークに接続された複数の記録装置に適切にファイルを記録する情報記録制御装置およびファイル記録制御方法に関する。
【背景技術】
【０００２】
従来、被写体を撮影して映像データを取得するビデオカメラや、撮影された映像データの記録または再生を行う記録再生装置等の放送機器は、ＳＤＩ（Serial Digital Interface）等の同期インターフェースにより相互接続され、ファイルの送受信が行われていた。
【０００３】
最近では、例えばＩＥＥＥ（Institute of Electrical and Electronic Engineers）１３９４端子などを装備し、ＬＡＮ（Local Area Network）等の非同期ネットワークに対応できるように放送機器に改良が加えられてきた。このような非同期ネットワークに対応できることによって、例えば、遠隔地の機器と手元の機器との間におけるビデオデータやオーディオデータ等のＡＶ（Audio/Video）データが格納されたＡＶデータファイルの送受信が容易となった。また、ＭＸＦ（Material eXchange Format）等のファイルフォーマットの標準化により、異なる機種間や異なるメーカの機器間におけるＡＶデータファイルのやりとりも容易となった。このように、複数の映像音声機器をネットワークに接続し、映像音声機器の機器管理を行う技術が特許文献１に記載されている。
【０００４】
【特許文献１】特開平１０−１６４８２０号公報
【０００５】
従来の映像記録再生システムについて、概略的に説明する。図４は、従来の映像記録再生システム１００の一例の構成を示す。映像記録再生システム１００は、例えば、記録装置５１Ａ、５１Ｂ、５１Ｃ、・・・、編集装置５２および通信手段５４を有するスタジオ５０とネットワーク６１を介して接続される端末装置６０Ａ、６０Ｂ、・・・とからなる。記録装置５１Ａ、５１Ｂ、５１Ｃ、・・・、編集装置５２および通信手段５４は、ＬＡＮ等のネットワーク５３で互いに接続される。通信手段５４は、ネットワーク６１とネットワーク５３との間の通信を制御する。
【０００６】
記録装置５１Ａ、５１Ｂ、５１Ｃ、・・・は、記録媒体として、例えば磁気テープや光ディスクといった着脱可能なものが用いられ、入力されたＡＶデータファイルをこの記録媒体に記録する。記録媒体５１Ａ、５１Ｂ、５１Ｃ、・・・の記録媒体として、ハードディスクなどの固定的なものを用いてもよい。
【０００７】
編集装置５２は、一般的なコンピュータ装置、例えばパーソナルコンピュータなどを用いることができ、ネットワーク６１を介して通信可能な通信手段を有する。編集装置５２は、記録装置５１Ａ、５１Ｂ、５１Ｃ、・・・に格納されたＡＶデータファイルを読み込み、ＡＶデータファイルの編集等を行い、編集されたＡＶデータファイルを記録装置５１Ａ、５１Ｂ、５１Ｃ、・・・に書き込むことができる。
【０００８】
端末装置６０Ａ、６０Ｂ、・・・は、例えば、ビデオカメラやビデオデータの記録再生や編集を行う装置であって、ネットワーク６１を介して通信可能な通信手段を有する。
【０００９】
記録装置５１Ａ、５１Ｂ、５１Ｃ、・・・は、編集装置５２や端末装置６０Ａ、６０Ｂ、・・・との間でＡＶデータファイルの送受信を行う。端末装置６０Ａ、６０Ｂ、・・・は、例えば、撮影や編集などで得られたＡＶデータをファイルに格納し、ネットワーク６１を介して記録装置５１Ａ、５１Ｂ、５１Ｃ、・・・に送信する。
【００１０】
従来のＡＶデータ記録システム１００では、ＡＶデータファイルのネットワーク６１を介しての送受信は、端末装置６０Ａ、６０Ｂ、・・・と記録装置５１Ａ、５１Ｂ、５１Ｃ、・・・との間で直接的に行われていた。例えば、端末装置６０Ｂから記録装置５１ＡにＡＶデータファイルを送信する場合、ファイル送信者は、予め記録装置５１Ａに装着されている記録媒体の残記録容量や、記録装置５１Ａが記録可能なフォーマット等の内部状態を調べ、記録装置５１Ａが記録可能であることを確認する。また、ファイル送信者は、端末装置６０Ｂの記録先として記録装置５１Ａを設定し、ＡＶデータファイルを送信していた。記録装置５１Ａが記録不可である場合は、別の記録装置、例えば記録装置５１Ｂの内部状態を調べ、記録可能であることを確認してＡＶデータファイルを送信していた。
【発明の開示】
【発明が解決しようとする課題】
【００１１】
この場合、記録装置５１Ａが送信されるＡＶデータファイルのフォーマットに対応しているか否か、記録装置５１Ａに装着されている記録媒体に、送信されるＡＶデータファイルのサイズに対して記録可能な容量があるか否か等の、記録装置５１Ａの状態や、記録装置５１Ａのネットワーク６１上のアドレスをファイル送信者が事前に把握する必要があった。そして、端末装置６０Ｂにおいて記録先の設定を行う必要があり、手間がかかるという問題点があった。
【００１２】
また、送信者は、端末装置６０Ｂに記録先として設定されている記録装置５１Ａが記録不可である場合、記録装置が記録可能となるまで待機するか、または、ネットワーク１３上に記録装置が５１Ａ、５１Ｂ、５１Ｃ、・・・のように複数ある場合、記録可能な記録装置を順次探す必要があり、手間がかかるという問題点があった。
【００１３】
さらに、記録可能な記録装置を順次探した結果、例えば記録装置５１Ｂが記録可能な記録装置として見つかった場合、端末装置６０Ｂに設定されている記録先を記録装置５１Ａから記録装置５１Ｂに変更する必要があり、手間がかかるという問題点があった。
【００１４】
上述した問題点を解決する方法として、図５に示すように、ＡＶデータ記録システム２００において、スタジオ７０内にファイルサーバ７２を設け、端末装置６０Ａ、６０Ｂ、・・・からネットワーク６１を介して送信された全てのＡＶデータファイルをファイルサーバ７２に転送し、その後、ファイルサーバ７２から記録装置５１Ａ、５１Ｂ、５１Ｃ、・・・にＡＶデータファイルを振り分ける方法が考えられる。しかしながら、全てのＡＶデータファイルを１つのファイルサーバ７２に転送することは、ファイルサーバ７２に負荷が集中してしまうことになり、高負荷に対応できる高性能なファイルサーバ７２を用意する必要があるため、コストがかかるという問題点があった。
【００１５】
また、ＡＶデータファイルの場合、一般に、１つのファイルのサイズが大きいので、ファイルサーバ７２には、大容量の記録媒体を用意する必要がある。そのため、コストがかかり、ファイルサーバ７２の管理に手間がかかるという問題点があった。
【００１６】
さらに、ファイルフォーマットや記録目的によって、最終的に記録するための記録媒体が変わることも考えられる。この場合、一旦ファイルサーバ７２により記録装置に振り分けられたＡＶデータファイルを、さらに別の記録装置に記録し直すことになるため、手間がかかるという問題点があった。
【００１７】
したがって、この発明の目的は、ネットワークに接続された複数の記録装置に適切にＡＶデータファイルを記録することができる情報記録制御装置およびファイル記録制御方法を提供することにある。
【課題を解決するための手段】
【００１８】
この発明は、上述した課題を解決するために、ネットワークを介して接続された複数の記録装置の機器情報を取得し、管理情報データベースに格納する状態監視手段と、ネットワークに接続されたファイルの送信元からファイルの記録要求がなされ、記録要求がなされたファイルの属性情報を、ネットワークを介して取得するファイル属性情報取得手段と、ファイルの属性情報と管理情報データベースに格納された複数の記録装置の機器情報とに基づき、複数の記録装置の中から記録要求がなされたファイルを記録するための記録装置を選択する選択手段とを有することを特徴とする情報記録制御装置である。
【００１９】
また、この発明は、ネットワークを介して接続された複数の記録装置の機器情報を取得し、管理情報データベースに格納する状態監視ステップと、ネットワークに接続されたファイルの送信元からファイルの記録要求がなされ、記録要求がなされたファイルの属性情報を、ネットワークを介して取得するファイル属性情報取得ステップと、ファイルの属性情報と管理情報データベースに格納された複数の記録装置の機器情報とに基づき、複数の記録装置の中から記録要求がなされたファイルを記録するための記録装置を選択する選択ステップとを有することを特徴とするファイル記録制御方法である。
【００２０】
上述したように、この発明は、端末装置から記録装置にファイルを記録する際に、複数の記録装置それぞれの内部状態を示す機器情報とファイルの属性情報とに基づき、記録可能な記録装置を選択するため、ファイル送信者は、事前に記録装置の内部状態を把握しておく必要がない。
【発明の効果】
【００２１】
この発明は、端末装置から記録装置にファイルを記録する際に、記録装置の内部状態を示す機器情報に基づき、記録可能な記録装置を選択するため、ファイル送信者は、事前に記録装置の内部状態を把握しておく必要がないという効果がある。
【００２２】
また、この発明は、情報記録制御装置から指定された記録装置にファイルを記録するようにしているため、ファイル送信者は、複数の記録装置の中から適した記録装置を探す必要がないという効果がある。
【００２３】
また、この発明は、情報記録制御装置が記録装置を指定することにより、端末装置の記録先を自動的に設定するため、ファイル送信者は、端末装置の記録先の設定をする必要がないという効果がある。
【００２４】
また、この発明は、ファイルを複数の記録装置に記録するため、ファイルサーバ等を用意する必要がないという効果がある。
【００２５】
また、この発明は、記録装置の情報と、記録装置の記録しているファイルのＵＭＩＤ（Unique Material IDentifier）を含む情報を同一の管理情報データベースとして管理することにより、ファイル記録後の検索や再利用が容易になるという効果がある。
【００２６】
上述したように、この発明は、記録装置の内部状態を示す機器情報を取得し、この機器情報と端末装置から送られるファイルの属性情報に基づき、適した記録装置を自動的に選択するようにしているため、ファイル送信者が記録先を探すことなくファイルを記録することができる。
【発明を実施するための最良の形態】
【００２７】
以下、この発明の実施の一形態について説明する。この発明は、ネットワークに接続された複数の記録装置のそれぞれについて、各記録装置の記録可否や記録可能フォーマット、各記録装置に装着されている記録媒体の記録可能容量等の内部状態の情報を取得し、ネットワークを介してＡＶデータファイル記録の要求があったときに、得られた記録装置の内部状態の情報に基づき、自動的に記録装置を選択して、選択した記録装置にＡＶデータファイルを記録することができるようにした。
【００２８】
図１は、この実施の一形態に適用可能な情報システム１の一例の構成を示す。ＡＶデータ記録システム１は、例えば、情報記録制御装置１０、記録装置１１Ａ、１１Ｂ、１１Ｃ、・・・、管理情報データベース１２および通信手段１４を有するスタジオ３と、ネットワーク２を介して接続されたビデオカメラや編集装置などによる端末装置３０Ａ、３０Ｂ、・・・とからなる。端末装置３０Ａ、３０Ｂ、・・・は、スタジオ３内にあってもよいし、ネットワーク２をインターネットとしてスタジオ３に対して別のスタジオや遠隔地等に設けられるものでもよい。以下では、ネットワーク２をインターネットとし、端末装置３０Ａ、３０Ｂ、・・・は、スタジオ３に対して遠隔地にあるものとして説明する。
【００２９】
ビデオカメラ等の端末装置３０Ａ、３０Ｂ、・・・から出力されたＡＶデータファイルは、ネットワーク２を介してスタジオ３に送信される。スタジオ３内部において、情報記録制御装置１０は、管理情報データベース１２を参照して、取得したＡＶデータファイルを記録可能な記録装置を選択し、選択された記録装置に、受信したＡＶデータファイルを記録する。
【００３０】
次に、スタジオ３内の構成について説明する。スタジオ３内に設けられた情報記録制御装置１０、記録装置１１Ａ、１１Ｂ、１１Ｃ、・・・、管理情報データベース１２および通信手段１４は、ＬＡＮ（Local Area Network）等のネットワーク１３で互いに接続される。ネットワーク１３は、例えば、ＴＣＰ／ＩＰ（Transmission Control Protocol/Internet Protocol）をプロトコルとして用い、接続された機器間での送信を行う。ＴＣＰ／ＩＰを用いる場合、各機器は、少なくともスタジオ３内で固有なＩＰアドレスを有する。通信手段１４は、ネットワーク２とネットワーク１３との間の通信を制御する。なお、通信手段１４を省略し、ネットワーク２とネットワーク１３とを共通のネットワークで構成してもよい。
【００３１】
記録装置１１Ａ、１１Ｂ、１１Ｃ、・・・は、記録媒体として、例えばハードディスクなどの固定的なものが用いられ、入力されたＡＶデータファイルをこの記録媒体に記録する。記録装置１１Ａ、１１Ｂ、１１Ｃ、・・・の記録媒体として、磁気テープや光ディスクといった着脱可能なものを用いてもよい。以下では、一例として、記録装置１１Ａ、１１Ｂ、１１Ｃ、・・・の記録媒体として、ハードディスクを用いた場合について説明する。記録装置１１Ａ、１１Ｂ、１１Ｃ、・・・は、それぞれ固有の識別情報を有し、互いを識別可能とされる。また、ネットワーク１３を介して通信可能な通信手段を有し、ネットワーク１３に接続された情報記録制御装置１０と互いにデータやコマンドのやりとりを行うことができる。
【００３２】
また、記録装置１１Ａ、１１Ｂ、１１Ｃ、・・・は、内部状態診断の機能を有し、外部からのコマンドにより、例えば、記録の可否や記録可能フォーマット、装着された記録媒体の残記録容量などの内部状態を示す機器情報を情報記録制御装置１０に対して送信することができる。
【００３３】
さらに、記録装置１１Ａ、１１Ｂ、１１Ｃ、・・・は、情報記録制御装置１０からのコマンドにより、ステータスが制御されるようになっている。例えば、記録装置１１Ａ、１１Ｂ、１１Ｃ、・・・には、「アイドル」、「端末ＸＸＸからの記録待ち」、「端末ＹＹＹからの記録中」等のステータスがあり、情報記録制御装置１０からのコマンドにより、ステータスを変更することができる。例えば、この例の場合、「アイドル」状態は、記録装置１１Ａ、１１Ｂ、１１Ｃ、・・・に対してファイルの記録予約が可能な状態を示す。「記録待ち」状態は、あるファイルの記録が予約された状態であり、当該ファイル以外のファイルを記録することができない状態を示す。「記録中」状態は、現在、記録媒体にファイルを記録中であって、この場合も当該ファイル以外のファイルを記録することができない状態を示す。
【００３４】
情報記録制御装置１０は、一般的なコンピュータ装置、例えばパーソナルコンピュータを用いることができる。情報記録制御装置１０は、内部の機能として、状態監視手段２３、ファイル属性情報取得手段２２、選択手段２４、命令処理手段２０および送受信手段２１を有する。送受信手段２１は、ネットワーク１３による通信の制御を行う。命令処理手段２０は、記録装置１１Ａ、１１Ｂ、１１Ｃ、・・・に対するコマンドや、ネットワーク２を介して接続される外部の機器に対するコマンドを生成すると共に、外部から供給されたコマンドを処理する。
【００３５】
状態監視手段２３は、記録装置１１Ａ、１１Ｂ、１１Ｃ、・・・のステータス情報などの機器情報を収集し、収集した機器情報を管理情報データベース１２に格納する。収集する機器情報としては、例えば、各記録装置のフォーマット情報や各記録装置に装着されている記録媒体の残記録容量情報、各記録装置のステータス情報、各記録装置に装着されている記録媒体に記録された記録ファイル情報がある。機器情報を収集するプロトコルとして、例えば、ＳＮＭＰ（Simple Network Management Protocol）を用いることができる。ファイル属性情報取得手段２２は、ネットワーク２を介して送信されたＡＶデータファイルの属性情報を取得する。
【００３６】
選択手段２４は、端末装置３０Ａ、３０Ｂ、・・・からのＡＶデータファイルの記録要求に基づき、管理情報データベース１２を参照し、記録装置を選択する。例えば、ＡＶデータファイル記録時にファイルの記録先が特定の記録装置に集中しないように、記録先を適宜選択し、それぞれの記録装置への負荷を分散する。
【００３７】
図２は、管理情報データベース１２に格納される記録装置の機器情報の一例を示す。管理情報データベース１２には、状態監視手段２３が記録装置１１Ａ、１１Ｂ、１１Ｃ、・・・から取得したそれぞれの記録装置の機器情報が格納される。記録装置の機器情報には、例えば、各記録装置に固有な「ＩＤ（IDentification）」、記録装置が記録可能であるＡＶデータファイルの「フォーマット」、記録装置に装着されている記録媒体が記録できる残容量を示す「残記録容量」、記録装置の状態を示す「ステータス」、記録装置の記録媒体に記録されているＡＶデータファイルの「記録ファイル情報」が記録されている。
【００３８】
ＩＤは、それぞれの記録装置１１Ａ、１１Ｂ、１１Ｃ、・・・に対してスタジオ３内においてユニークに割り当てられたＩＤである。ＩＤとして、例えば、ネットワーク１３がＴＣＰ／ＩＰをプロトコルとして用いる場合、ネットワーク１３に対するＩＰアドレスを適用することができる。また、これに限らず、スタジオ３内の機器ごとに、機器にユニークな通し番号を適用してもよい。情報記録制御装置１０は、このＩＤによって記録装置を識別する。なお、図２に示す一例では、ＩＤとして通し番号を適用している。
【００３９】
ファイルフォーマットは、それぞれの記録装置が記録可能なＡＶデータファイルのフォーマットである。例えば、「ＩＭＸ（MPEG IMX：登録商標）」や「ＤＶ（Digital Video）」、「ＨＤ  ＭＰＥＧ−ＬＯＮＧ（High Definition Moving Picture Experts Group -LONG）」などのビデオフォーマット形式である。残記録容量は、記録装置に現在装着されている記録媒体の記録可能な残りの容量を示す。
【００４０】
ステータスは、それぞれの記録装置がどのような状態であるかの情報である。例えば、ステータスは、「アイドル」、「端末装置ＸＸＸからの記録待ち」、「端末装置ＹＹＹからの記録中」などの記録装置の状態を示す情報である。例えばこの場合、「アイドル」状態である記録装置が新たに記録先の記録装置として設定可能であることが示される。記録ファイル情報は、記録装置に現在装着されている記録媒体に記録されているＡＶデータファイルの属性情報であり、例えば、ファイル数、ファイル名、ＵＭＩＤ（Unique Material IDentifier）およびファイルのフォーマットである。ＵＭＩＤとは、ＡＶデータファイルに格納されるＡＶデータ等のメタデータであり、データ毎に割り当てられた、全世界においてユニークなＩＤである。
【００４１】
なお、機器情報に記録される内容は、この例に限られない。例えば、ＡＶデータファイルの属性情報として、ファイルの作成日やファイルの記録時間、ファイルのタイトル、ファイルのビットレート等の情報を記録してもよい。
【００４２】
次に、ＡＶデータファイル記録時の情報管理システムの動作について、概略的に説明する。情報記録制御装置１０は、端末装置３０Ａ、３０Ｂ、・・・からのファイル記録要求に基づき、管理情報データベース１２に格納されている記録装置の機器情報と、端末装置３０Ａ、３０Ｂ、・・・から受信したＡＶデータファイルの属性情報とに基づき、記録装置１１Ａ、１１Ｂ、１１Ｃ、・・・の中から記録可能な記録装置を探し、記録に用いる記録装置を選択する。情報記録制御装置１０は、選択した記録装置のステータスを他の記録が行われないように変更すると共に、端末装置３０Ａ、３０Ｂ、・・・に対して、選択した記録装置を特定できる情報を送信する。端末装置３０Ａ、３０Ｂ、・・・は、情報記録制御装置１０から指定された記録装置を記録先として設定し、ＡＶデータファイルの送信を開始する。選択された記録装置は、受信したＡＶデータファイルを装着されている記録媒体に記録する。
【００４３】
ファイル記録時の情報管理システムの動作について、図３を参照してより具体的に説明する。この例では、端末装置３０Ａから記録装置１１Ａに対してＡＶデータファイルを記録する場合を想定して説明する。
【００４４】
情報記録制御装置１０において、状態監視手段２３は、記録装置１１Ａ、１１Ｂ、１１Ｃ、・・・から内部状態を示す機器情報を取得する（ＳＥＱ１００）。状態監視手段２３は、取得した機器情報に基づき、管理情報データベース１２に対してデータベースの更新を要求する（ＳＥＱ１０１）。管理情報データベース１２は、この要求に基づき更新される（ステップＳ２０）。
【００４５】
上述したシーケンスＳＥＱ１００、シーケンスＳＥＱ１０１およびステップＳ２０の動作は、例えば定期的に行われ、管理情報データベース１２内に格納されている記録装置１１Ａ、１１Ｂ、１１Ｃ、・・・の機器情報は、常に最新の状態に保たれる。
【００４６】
端末装置３０Ａは、情報記録制御装置１０に対してＡＶデータファイルの記録を要求する。このとき、この要求と共に、記録するＡＶデータファイルの属性情報と、ネットワークアドレス、例えばＩＰアドレス等の端末装置３０Ａのネットワーク２上での位置を特定できる情報とを送信する（ＳＥＱ１０２）。情報記録制御装置１０は、ファイル属性情報に基づき、記録要求されたＡＶデータファイルのファイル属性を取得する（ステップＳ１０）。
【００４７】
記録が要求されたＡＶデータファイルの属性情報が取得されると、情報記録制御装置１０は、管理情報データベース１２に対してデータベースの参照を要求し（ＳＥＱ１０３）、記録装置１１Ａ、１１Ｂ、１１Ｃ、・・・の機器情報を取得する（ＳＥＱ１０４）。端末装置３０Ａから受信したＡＶデータファイルの属性情報と管理情報データベース１２から取得した機器情報とに基づき、選択手段２４によって、記録可能な記録装置が選択される（ステップＳ１１）。ここでは、記録装置１１Ａが選択されるものとする。
【００４８】
選択手段２４による記録装置の選択方法について、図２を参照して概略的に説明する。図２によれば、ＩＤが「０００１」の記録装置（記録装置１１Ａとする）は、記録可能フォーマットが「ＩＭＸ」および「ＤＶ」、装着されている記録媒体の残記録容量が「２０ＧＢ（Giga Byte）」、ステータスが「アイドル」、記録されているファイル数が「３」とされ、記録されているファイルは、ファイル名、ＵＭＩＤおよびフォーマットがそれぞれ「Ｃ０００１．ＭＸＦ」、「ｘｘｘ」、「ＩＭＸ」であるファイルと、「Ｃ０００２．ＭＸＦ」、「ｙｙｙ」、「ＤＶ」であるファイルと、「Ｃ０００３．ＭＸＦ」、「ｚｚｚ」、「ＩＭＸ」であるファイルとされている。
【００４９】
また、ＩＤが「０００２」の記録装置（記録装置１１Ｂとする）は、記録可能フォーマットが「ＤＶ」、装着されている記録媒体の残記録容量が「１７ＧＢ」、ステータスが「端末ＸＸＸからの記録待ち」、記録されているファイル数が「２」とされ、記録されているファイルは、ファイル名、ＵＭＩＤおよびフォーマットがそれぞれ「Ｃ０００１．ＭＸＦ」、「１ｘｘ」、「ＤＶ」であるファイルと、「Ｃ０００２．ＭＸＦ」、「２ｙｙ」、「ＤＶ」であるファイルとされている。
【００５０】
さらに、ＩＤが０００３の記録装置（記録装置１１Ｃとする）は、記録可能フォーマットが「ＨＤ  ＭＰＥＧ−ＬＯＮＧ」、装着されている記録媒体の残記録容量が「２２ＧＢ」、ステータスが「端末ＹＹＹからの記録中」、記録されているファイル数が「０」とされている。
【００５１】
受信したＡＶデータファイルについて、例えば、受信したファイル属性情報に基づき、フォーマットが「ＩＭＸ」であり、ファイルサイズが「１８ＧＢ」であると判断された場合、機器情報の記録可能フォーマットの項目から、このＡＶデータファイルが記録可能な記録装置として、ＩＤが「０００１」の記録装置１１Ａのみが選択の対象となる。また、記録装置１１Ａは、ファイルのサイズ１８ＧＢｙに対して残記録容量が２０ＧＢであり、かつステータスが「アイドル」状態であるため、記録要求されたＡＶデータファイルの記録が可能であると判断することができる。最終的に、記録要求されたＡＶデータファイルの記録先として、記録装置１１Ａが選択される。
【００５２】
また、例えば、受信したファイル属性情報に基づき、受信したＡＶデータファイルのフォーマットが「ＤＶ」であり、ファイルサイズが「１９ＧＢ」であると判断された場合は、機器情報の記録可能フォーマットの項目から、このＡＶデータファイルが記録可能な記録装置として、ＩＤが「０００１」である記録装置１１ＡとＩＤが「０００２」である記録装置１１Ｂとが選択の対象となる。記録装置１１Ａは、ファイルのサイズ１９ＧＢに対して残記録容量が２０Ｇｂｙｔｅあり、かつステータスが「アイドル」状態であるため、記録要求されたＡＶデータファイルの記録が可能であると判断することができる。一方、記録装置１１Ｂは、ファイルのサイズ１９ＧＢに対して残記録容量が１７ＧＢであり、かつステータスが「記録装置ＸＸＸからの記録待ち」状態であるため、記録要求されたファイルの記録は不可であると判断することができる。したがって、この場合は、記録要求されたＡＶデータファイルの記録先として、記録装置１１Ａが選択される。
【００５３】
記録装置の選択の際に、さらに記録装置１１Ａ、１１Ｂ、１１Ｃ、・・・の記録ファイル情報を参照してもよい。例えば、複数の記録装置に対して分散してＡＶデータファイルを記録するようにするため、記録ファイル数の少ない記録装置から選択する。
【００５４】
なお、上述では、最初にフォーマットの項目を参照して記録装置を選択したが、参照する項目の順序は、この例に限られない。例えば、最初にステータスの項目を参照するようにしてもよい。
【００５５】
説明は図３に戻り、情報記録制御装置１０は、管理情報データベース１２に対して、機器情報のうち、選択された記録装置１１Ａのステータスを「端末装置３０Ａからの予約待ち」とするようデータベース１２を更新する（ＳＥＱ１０５）。管理情報データベース１２は、情報記録制御装置１０からの要求に基づき更新される（ステップＳ２１）。
【００５６】
情報記録制御装置１０は、記録装置１１Ａに対して記録の予約を要求すると共に、記録が予約されたＡＶデータファイルの送信先となる端末装置３０Ａの情報を送信する（ＳＥＱ１０６）。記録装置１１Ａは、情報記録制御装置１０から受信した予約要求および端末装置３０Ａの情報に基づき、「端末装置３０Ａからの記録待ち」状態にロックされ、記録待機状態となる（ステップＳ３０）。記録装置１１Ａは、情報記録制御装置１０に対して「端末装置３０Ａからの記録待ち」であることを通知する（ＳＥＱ１０７）。
【００５７】
情報記録制御装置１０は、記録装置１１Ａから受信した「端末装置３０Ａからの記録待ち」の通知に基づき、管理情報データベース１２に対して記録装置１１Ａのステータスを「端末装置３０Ａからの記録待ち」に更新するよう要求する（ＳＥＱ１０８）。管理情報データベース１２は、情報記録制御装置１０からの要求に基づき、記録装置１１Ａのステータスが更新される（ステップＳ２２）。
【００５８】
情報記録制御装置１０は、端末装置３０Ａに対して、ＡＶデータファイルの記録先を特定できる情報、例えば記録装置１１ＡのＩＰアドレスなどを送信する（ＳＥＱ１０９）。端末装置３０Ａは、情報記録制御装置１０から受信したこの記録先を特定する情報に基づき、端末装置３０Ａの記録先を記録装置１１Ａに自動的に設定し、記録装置１１ＡへのＡＶデータファイル転送を開始する（ＳＥＱ１１０）。ＡＶデータファイルは、ネットワーク２を介して記録装置１１Ａに転送される。記録装置１１Ａは、ステータスを「端末装置３０Ａからの記録待ち」ら「端末装置３０Ａからの記録中」に変更し、端末装置３０Ａから転送されたＡＶデータファイルの記録を開始し（ステップＳ３１）、情報記録制御装置１０に対して「端末装置３０Ａからの記録中」であることを通知する（ＳＥＱ１１１）。
【００５９】
情報記録制御装置１０は、記録装置１１Ａから受信した「端末装置３０Ａからの記録中」の通知に基づき、管理情報データベース１２に対して記録装置１１Ａのステータスを「端末装置３０Ａからの記録中」に更新するよう要求する（ＳＥＱ１１２）。管理情報データベース１２は、情報記録制御装置１０から受信した要求に基づき、記録装置１１Ａのステータスが更新される（ステップＳ２３）。
【００６０】
端末装置３０Ａから記録装置１１ＡへのＡＶデータファイル転送が完了し（ＳＥＱ１１３）、記録装置１１Ａが端末装置３０ＡからのＡＶデータファイルの記録を完了すると、情報記録制御装置１０に対して「記録完了」であることを通知する。それと共に、記録装置１１Ａは、情報記録制御装置１０に対し、記録したＡＶデータファイルの属性情報を送信する（ＳＥＱ１１４）。その後、記録装置１１Ａにおいて、ステップＳ３０でされた予約が解除される（ステップＳ３３）。
【００６１】
情報記録制御装置１０は、記録装置１１Ａから受信した「記録完了」の通知に基づき、管理情報データベース１２に対して記録装置１１Ａのステータスを「アイドル」状態に更新するよう要求する（ＳＥＱ１１５）。管理情報データベース１２は、情報記録制御装置１０から受信した要求に基づき、記録装置１１Ａの記録ファイル情報を更新する（ステップＳ２４）。
【００６２】
なお、ステップＳ１１において、記録装置の選択時に記録可能な記録装置がないと判断された場合、情報記録管理装置１０は、端末装置３０Ａに対して適切に拒否応答を行うようにできる。このような場合、例えば、端末装置３０Ａから所定の時間後に再度記録要求を行うようにしてもよい。
【００６３】
記録装置１１Ａ、１１Ｂ、１１Ｃ、・・・に記録されているＡＶデータファイルを取り出す際、管理情報データベース１２には、記録装置１１Ａ、１１Ｂ、１１Ｃ、・・・のＩＤとＡＶデータファイルの属性情報とが関連付けられて管理されているので、端末装置３０Ａ、３０Ｂ、・・・側では、自分が送出したＡＶデータファイルの記録先である記録装置を知らない場合であっても、ＡＶデータファイルの検索を容易に行うことができる。この時、ＵＭＩＤを用いることで、より容易に所望のＡＶデータファイルを見つけることができる。
【００６４】
上述では、端末装置３０Ａ、３０Ｂ、・・・から記録装置１１Ａ、１１Ｂ、１１Ｃ、・・・へＡＶデータファイルを送信する方法について説明したが、端末装置３０Ａ、３０Ｂ、・・・がスタジオ３内の記録装置１１Ａ、１１Ｂ、１１Ｃ、・・・に記録されている所望のＡＶデータファイルの送信を要求することもできる。一例として、例えば編集装置である端末装置３０Ｂは、送信を要求するＡＶデータファイルの属性情報をスタジオ３内の情報記録制御装置１０に対して送信する。情報管理制御装置１０は、受信したＡＶデータファイルの属性情報に基づき、管理情報データベース１２から当該ＡＶデータファイルが記録されている記録装置を検索する。検索の結果、情報管理制御装置１０は、所望のＡＶデータファイルを記録している記録装置から当該ＡＶデータファイルを呼び出し、呼び出されたＡＶデータファイルを端末装置３０Ｂに送信する。
【００６５】
この実施の一形態では、情報記録制御装置１０から端末装置３０Ａ、３０Ｂ、・・・へ記録先の情報を送信し、端末装置３０Ａ、３０Ｂ、・・・は、受信した記録先の情報に基づいて、ＡＶデータファイルを記録先の記録装置へ直接的に送信するよう説明したが、これはこの例に限られない。例えば、端末装置３０Ａ、３０Ｂ、・・・側から見て、記録装置１１Ａ、１１Ｂ、１１Ｃ、・・・の存在を隠し、スタジオ３自体が１つの記録装置であるかのように構成することができる。すなわち、スタジオ３に代表的に設けられた記録先にＡＶデータファイルを送信する。情報記録制御装置１０の選択手段２４は、管理情報データベース１２の内容に基づき、上述したように送られてきたＡＶデータファイルを記録可能な記録装置を１１Ａ、１１Ｂ、１１Ｃ、・・・の中から選択する。情報記録制御装置１０は、選択された記録装置に対して、記録予約など所定の設定を行う。このようにすることで、端末装置３０Ａ、３０Ｂ、・・・は、記録先の設定について固定的とすることができ、記録先の設定を変更する必要がない。
【００６６】
また、この実施の一形態では、放送機器を用いたシステムに適用するように説明したが、これはこの例に限られない。例えば、他の映像音声システム等に対して適用しても好適である。
【図面の簡単な説明】
【００６７】
【図１】この実施の一形態に適用可能なＡＶデータ記録システムの一例の構成を示すブロック図である。
【図２】管理情報データベースに格納される記録装置の機器情報の一例を示す略線図である。
【図３】ＡＶデータファイルを記録する動作についての一例を示す略線図である。
【図４】従来のＡＶデータ記録システムの一例の構成を示すブロック図である。
【図５】ファイルサーバを用いたＡＶデータ記録システムの一例の構成を示すブロック図である。
【符号の説明】
【００６８】
１  情報記録システム
１０  情報記録制御装置
１１Ａ、１１Ｂ、１１Ｃ  記録装置
１２  管理情報データベース
２０  命令処理手段
２１  送受信手段
２２  ファイル属性情報取得手段
２３  状態監視手段
２４  選択手段
３０Ａ、３０Ｂ  端末装置
【図１】
2006184995.tif 000003
【図２】
2006184995.tif 000004
【図３】
2006184995.tif 000005
【図４】
2006184995.tif 000006
【図５】
2006184995.tif 000007